【事件の表示】
　平成１１年特許願第　７５２５４号「写真フィルム用印画紙焼付け方法及び写真フィルム用印画紙焼付け装置」拒絶査定に対する審判事件［平成１１年１１月１６日出願公開、特開平１１−３１６４２１］について、次のとおり審決する。
【結　論】
　本件審判の請求は、成り立たない。
【理　由】
１．手続の経緯及び本願発明
  本願は、平成４年３月２３日に出願した特願平４−６５３０４号の一部を特願平１１−７５２５４号として平成１１年３月１９日に新たな特許出願としたものであって、特許請求の範囲の請求項４に係る発明は、平成１２年５月１５日付け、平成１３年３月８日付け及び平成１３年１１月１９日付けの手続補正書により補正された明細書及び図面の記載からみて、その請求項４に記載された次のとおりのものと認める。（以下、「本願発明」という）
　「スプロケット駆動用透孔を無くした写真フィルムの有効撮影領域と一方の縁部との間の無孔な非撮影領域上で、写真フィルムの長さ方向に所定の長さ離間して記録された信号の数により露光すべきコマのサイズを示すコマサイズ信号と、前記非撮影領域でコマサイズ信号に近接して記録されたコマ番号とを判別して検出し、判別された前記コマサイズ信号に含まれる前記信号の数を計数し、計数した数に基づいて、予め記憶された複数のマスクの開口サイズの内の１つを選択し、前記選択に基づいてマスクの開口を変えた後、前記マスクの中心位置と前記コマサイズ信号に隣接する有効撮影領域の中心位置とをほぼ一致するように位置決めし、前記写真フィルム上の画像を印画紙に焼付けることを特徴とする写真フィルム用印画紙焼付け装置。」
　
２．引用例
　これに対して、原査定の拒絶の理由で引用された本願の出願日前に頒布された特開平３−１０５３３６号公報（以下、「引用例１」という）、及び原査定の備考欄で引用された本願の出願日前に頒布された特開平２−６４６２１号公報（以下、「周知例１」という）、同じく特開平２−６４６２２号公報（以下、「周知例２」という）、同じく特開平２−６７５３７号公報（以下、「周知例３」という）にはそれぞれ、次の事項が記載されている。
　引用例１；
（１）本発明は、フイルム上に記録されたトリミング情報に基づいてトリミングプリントを行うトリミングプリントシステムの改良に関するものである。（公報第１頁右下欄２〜４行）
（２）第１図に示されているように、トリミング中心位置を特定する横基準位置マーク２８ａ，縦基準位置マーク２８ｂと、画角サイズを特定する画角マーク２９をネガフイルム３０のサイドにプリントする。なお、横基準位置マーク２８ａと縦基準位置マーク２８ｂは、確定したトリミング枠３８の各辺の中心に記録され、容易にトリミング中心位置を検出できるようになっている。（公報第２頁左下欄下から２行〜右下欄６行）
（３）フイルムキャリア４４の左横にはデータ読み取り装置５８が配置され、ネガフイルム３０のプリント位置より１コマ手前のコマに記録されたトリミングマーク２８ａ，２８ｂ及び２９を検出する。このデータ読み取り装置５８は、第１図に示されているように、横基準位置マーク２８ａを検出する第１イメージセンサ５８ａと、縦基準位置マーク２８ｂを検出する第２イメージセンサ５８ｂと、画角マーク２９を検出する第３イメージセンサ５８ｃとから構成されている。なお、データ読み取り装置５８の位置は、フイルムキャリア４４上であってもよい。また、バーコードでトリミング条件が記録されている場合には、データ読み取り装置としてバーコードリーダが用いられる。（公報第３頁右上欄９行〜左下欄２行）
（４）トリミングプリントを行う場合には、データ読み取り装置５８の第１イメージセンサ５８ａと第２イメージセンサ５８ｂの基準位置情報に基づき、パルスモータ４８を駆動してフイルムキャリア４４を移動させて、トリミング中心をプリント中心位置に位置合わせする。また、第３イメージセンサ５８ｃの画角情報（選択されたトリミング枠Ｈ１〜Ｈ３，Ｖ１〜Ｖ３）に該当するデータをメモリ８７ａから読み出し、このデータに基づいてパルスモータ６６，６８の駆動を制御して焼付け倍率を調節するとともに、これに併せてパルスモータ７４を制御してカラーペーパー６４の移送調整を行う。（公報第４頁左上欄１６行〜右上欄８行）
（５）標準サイズのプリントのみが続く場合には、ネガフイルム３０及びカラーペーパー６４を一定速度で移送させて順次プリントを行う。他方、ネガフイルム３０の移送中にデータ読み取り装置５８によりトリミングマーク（２８ａ，２８ｂ，２９）を検出した場合には、そのコマを通常のプリント位置にセットし、標準プリントの場合と同様にスキャナー８４によって測光した後、基準位置マーク２８ａ，２８ｂの検出結果に基づいてフイルムキャリア４４を駆動して、トリミング中心をプリント中心位置に位置合わせする。また、メモリ８７ａのデータに基づいてズームレンズ６０を駆動して焦点距離を調整し、ペーパーマスク６２を駆動して焼付け範囲を調整するとともに、これに合わせてカラーペーパー６４の移送調節を行う。（公報第４頁右下欄７行〜第５頁左上欄２行）
　
　第１図、第４図も参照すると、引用例１には、ネガフィルム３０のサイドにプリントされたトリミング中心位置を特定する横基準位置マーク２８ａ、縦基準位置マーク２８ｂと、画角サイズを特定する画角マーク２９を検出し、
　画角マーク２９を検出する第３イメージセンサ５８ｃの画角情報（選択されたトリミング枠Ｈ１〜Ｈ３，Ｖ１〜Ｖ３）に該当するデータをメモリ８７ａから読み出し、このデータに基づいてパルスモータ６６，６８の駆動を制御して焼付け倍率を調節するとともに、これに併せてパルスモータ７４を制御してカラーペーパー６４の移送調整を行い、ズームレンズ６０を駆動して焦点距離を調整し、ペーパーマスク６２を駆動して焼付け範囲を調整し、
　横基準位置マーク２８ａを検出する第１イメージセンサ５８ａと、縦基準位置マーク２８ｂを検出する第２イメージセンサ５８ｂの基準位置情報に基づき、パルスモータ４８を駆動してフィルムキャリア４４を移動させて、トリミング中心をプリント中心位置に位置合わせする、
　トリミングプリントシステム、が記載されているといえる。　
　
　周知例１ないし３；
　周知例１の第８図、第９図には、パーフォレーションを無くした写真フィルムが記載されている。同じく周知例２の第１図、第２図、周知例３の第７図、第８図にも、パーフォレーションを無くした写真フィルムが記載されている。
　
３．対比 
　本願発明と引用例１に記載された発明とを対比すると、引用例１の「ネガフィルム３０」、「サイド」、「画角マーク２９」、「トリミング枠」及び「ペーパーマスク６２」はそれぞれ、本願発明の「写真フィルム」、「非撮影領域」、「露光すべきコマのサイズを示すコマサイズ信号」、「有効撮影領域」及び「マスク」に相当する。
　また、引用例１の「画角マーク２９を検出する第３イメージセンサ５８ｃの画角情報（選択されたトリミング枠Ｈ１〜Ｈ３，Ｖ１〜Ｖ３）に該当するデータをメモリ８７ａから読み出し、このデータに基づいてパルスモータ６６，６８の駆動を制御して焼付け倍率を調節するとともに、これに併せてパルスモータ７４を制御してカラーペーパー６４の移送調整を行い、ズームレンズ６０を駆動して焦点距離を調整し、ペーパーマスク６２を駆動して焼付け範囲を調整し」の記載から、画角マーク２９の画角情報に基づいて予め記憶された複数のペーパーマスク６２の開口サイズの内の１つを選択し、前記選択に基づいてペーパーマスク６２の開口サイズを設定していることが明らかである。
　引用例１の上記記載及び「横基準位置マーク２８ａを検出する第１イメージセンサ５８ａと、縦基準位置マーク２８ｂを検出する第２イメージセンサ５８ｂの基準位置情報に基づき、パルスモータ４８を駆動してフィルムキャリア４４を移動させて、トリミング中心をプリント中心位置に位置合わせする」の記載から、トリミング枠の中心とペーパーマスク６２の開口中心とを一致させていることが明らかである。
　また、引用例１には、バーコードでトリミング条件が記録されている場合には、データ読み取り装置としてバーコードリーダが用いられる旨記載されているから、引用例１の発明は、バーコードで本願発明にいう「露光すべきコマのサイズを示すコマサイズ信号」を検出する場合を包含するといえる。
　さらに、引用例１のトリミングプリントシステムが写真フィルム用印画紙焼付装置であることも明らかである。
　したがって、両者は「写真フィルムの有効撮影領域と一方の縁部との間の非撮影領域上で、バーコードで記録された露光すべきコマのサイズを示すコマサイズ信号を検出し、前記コマサイズ信号に含まれる画角情報に基づいて、予め記憶された複数のマスクの開口サイズの内の１つを選択し、前記選択に基づいてマスクの開口を変えた後、前記マスクの中心位置と前記コマサイズ信号に隣接する有効撮影領域の中心位置とをほぼ一致するように位置決めし、前記写真フィルム上の画像を印画紙に焼付ける写真フィルム用印画紙焼付け装置。」である点で一致し、以下の点で相違する。
　
相違点１；使用する写真フィルムが、本願発明はスプロケット駆動用透孔を無くした写真フィルムであるのに対して、引用例１にはそのような写真フィルムであることの記載がない点。
　
相違点２；バーコードで記録された露光すべきコマのサイズを示すコマサイズ信号が、本願発明は、写真フィルムの長さ方向に所定の長さ離間して記録された信号の数により露光すべきコマのサイズを示す信号であるのに対して、引用例１にはその記載がない点。
　
相違点３；本願発明は、コマサイズ信号と、非撮影領域でコマサイズ信号に近接して記録されたコマ番号とを判別して検出するのに対して、引用例１には写真フィルムの非撮影領域にコマ番号を記録すること、及びコマサイズ信号とコマ番号とを判別して検出することの記載がない点。
　
相違点４；予め記憶された複数のマスクの開口サイズの内の１つの選択が、本願発明は、コマサイズ信号に含まれる所定の長さ離間して記録された信号の計数した数に基づくのに対して、引用例１にはその記載がない点。
　
４．当審の判断
　上記相違点について検討する。
  相違点１について；上記周知例１ないし３に示されるように、写真フィルムとして「スプロケット駆動用透孔を無くした写真フィルム」は従来周知であり、引用例１の写真フィルムとして用いることに格別の阻害要因はなく、そのようにすることは、当業者にとって容易なことである。
　
　相違点２について；所定の長さ離間して記録されたバーコードの本数により情報を識別することは、従来周知の技術事項（特開昭６０−１３９４７６号公報、特開平１−１７４４８３号公報、特開平１−２４５２３４号公報、特開平３−１６２０９３号公報参照）であり、これを写真フィルムのコマサイズ信号に適用することに格別の阻害要因はなく、そのようにすることは、当業者にとって容易なことである。
　
　相違点３について；写真フィルムの非撮影領域にコマ番号を記録することは従来周知の技術事項であり、引用例１の写真フィルムにコマ番号を記録した際に、コマサイズ信号とコマ番号とを判別して検出することは当然に必要なことである。
　
　相違点４について；「バーコードで記録されたコマサイズ信号を検出し、前記コマサイズ信号に含まれる画角情報に基づいて、予め記憶された複数のマスクの開口サイズの内の１つを選択する」点で本願発明と引用例１に記載された発明とは技術的に一致するものであり、バーコードとして「所定の長さ離間して記録された信号の数により信号を判別するバーコード」を採用することは「相違点２について」の項で述べたように当業者にとって容易なことであり、相違点４の本願発明の構成とすることは、引用例１の発明においてバーコードとして「所定の長さ離間して記録された信号の数により信号を判別するバーコード」を採用した際に当然に必要な構成であり、当業者にとって格別の創意を要することではない。
　
　また、本願発明の効果も、引用例１の記載及び上記の周知技術から予測される程度のものにすぎない。
　
５．むすび
　したがって、本願発明は、上記引用例１に記載された発明及び周知の技術に基いて当業者が容易に発明をすることができたものと認められるから、特許法第２９条第２項の規定により特許を受けることができない。
　よって、結論のとおり審決する。